(57)【特許請求の範囲】
【請求項１】
基材上に、コード情報を設けてなる情報印刷物において、第１のコード情報を形成する印刷領域の一部に、硬質インキ層からなる付加情報を潜像画像として形成してなり、前記硬質インキ層が、金属物よりも硬度の高い素材を含み、金属物を擦ることで顕像化することにより、前記第１のコード情報と前記顕像化された付加情報とを合わせて、第２のコード情報を表示することを特徴とする情報印刷物。
【請求項２】
前記硬質インキ層が、前記基材の色相と同色であることを特徴とする請求項１に記載の情報印刷物。
【請求項３】
請求項１または２に記載の前記情報印刷物を用いたコード情報読取方法において、読取装置にて前記第１のコード情報を読取るステップと、金属物を用いて擦ることにより前記硬質インキ層を顕像化させるステップと、読取装置にて顕像化した前記硬質インキ層からなる付加情報を含む第２のコード情報を読取るステップとからなることを特徴とするコード情報読取方法。
【請求項４】
請求項１または２に記載の前記情報印刷物を用いた認証方法であって、読取装置にて前記第１のコード情報を読取るステップと、金属物を用いて擦ることにより前記硬質インキ層を顕像化させるステップと、読取装置にて顕像化した前記硬質インキ層からなる付加情報を含む第２のコード情報を読取るステップとを有し、前記第１のコード情報及び顕像化した前記付加情報を含む第２のコード情報を用いて認証する認証方法。
【発明の詳細な説明】
【技術分野】
【０００１】
本発明は、IDなどの個人認証媒体ならびに証書関連の認証媒体、抽選くじやチケット類といった認証を要する媒体及びその認証方法に関する。
【背景技術】
【０００２】
ＩＤなどの個人認証媒体ならびに証書関連の認証媒体の領域では、ＩＣチップを内蔵した認証技術などが普及し、抽選くじやチケット類といった認証を要する媒体分野においては個別番号を付与したナンバリング技術やその管理手法による認証手段が主に用いられている。しかし、より簡便かつ低コストでの認証を目指して、所謂バーコードやＱＲコード（登録商標）などに代表される二次元コードなどを媒体上に設け、認証を実施しようとする試みも、従来から検討されている。
【０００３】
例えば、特許文献１や特許文献２に見られるように、ＩＤカードなどの分野においても、顔画像の画像データや指紋データなどを圧縮して、二次元コード化し、顔写真画像と共にカード上に設けるなどの手法が従来から検討されている。
【０００４】
一方、インターネットによる情報提供の一般化に伴い、企業が自社の商品情報や関連情報などといったものをＷｅｂページを通じて消費者に向けて情報提供している。この際、カタログ上や商品そのものに、ＷｅｂページのＵＲＬをＱＲコード（登録商標）などで表記し、これを読取ることにより、消費者を簡便にそのＷｅｂページに導こうとする手法なども、特許文献３や特許文献４などで提案されている。
【０００５】
これらの手法においては、カメラ付き携帯端末の普及も大きな牽引となっている。
すなわち、携帯端末に二次元コードの読取ソフトを導入することにより、携帯端末の有する通信機能によって、簡単にインターネットに接続することが可能となり、Ｗｅｂ情報へのアクセス・閲覧が容易となったためである。
【０００６】
しかしながら、二次元コードを認証用の情報媒体として用いようとする場合、二次元コード自体には何らセキュリティ性はなく、カメラによる撮影やコピー機等により、簡単に複製を作ることが可能である。このため、二次元コードの活用方法が限定されていた。
【先行技術文献】
【特許文献】
【０００７】
【特許文献１】特開平８−１２９６３４号公報
【特許文献２】特開平１１−２７２８１６号公報
【特許文献３】特開２０００−２９３４５５号公報
【特許文献４】特開２００５−６３１５１号公報
【発明の概要】
【発明が解決しようとする課題】
【０００８】
本発明は、二次元コードとその読取技術が有する簡便な情報授受性を維持しつつ、カメラやコピー機等による不正コピーによって、不正に認証を実行しようとする場合や、不正に個人情報を入手しようとすることを防止しようとするものである。
【課題を解決するための手段】
【０００９】
本発明はこれらの課題を解決すべくなされたものである。
すなわち、請求項１に記載の発明は、基材上に、コード情報を設けてなる情報印刷物において、第１のコード情報を形成する印刷領域の一部に、硬質インキ層からなる付加情報を潜像画像として形成してなり、前記硬質インキ層が、金属物よりも硬度の高い素材を含み、金属物を擦ることで顕像化することにより、前記第１のコード情報と前記顕像化された付加情報とを合わせて、第２のコード情報を表示することを特徴とする情報印刷物である。
【００１０】
次に、請求項２に記載の発明は、前記硬質インキ層が、前記基材の色相と同色であることを特徴とする請求項１に記載の情報印刷物である。
【００１１】
請求項３に記載の発明は、請求項１または２に記載の前記情報印刷物を用いたコード情報読取方法において、読取装置にて前記第１のコード情報を読取るステップと、金属物を用いて擦ることにより前記硬質インキ層を顕像化させるステップと、読取装置にて顕像化した前記硬質インキ層からなる付加情報を含む第２のコード情報を読取るステップとからなることを特徴とするコード情報読取方法である。
【００１２】
請求項４に記載の発明は、請求項１または２に記載の前記情報印刷物を用いた認証方法であって、読取装置にて前記第１のコード情報を読取るステップと、金属物を用いて擦ることにより前記硬質インキ層を顕像化させるステップと、読取装置にて顕像化した前記硬質インキ層からなる付加情報を含む第２のコード情報を読取るステップとを有し、前記第１のコード情報及び顕像化した前記付加情報を含む第２のコード情報を用いて認証する認証方法である。
【発明の効果】
【００１３】
本発明によれば、二次元コードを用いた認証方法において、カメラなどによってコード情報を撮影されてしまった場合や、コピー機等によって不正にコード情報を複製されてしまった場合であっても、不正使用することのできない情報印刷物を提供することができる。
【図面の簡単な説明】
【００１４】
【図１】本発明の一態様に係わる情報印刷物を概略的に示す平面図である。        （Ａ）第１の情報コードを有する情報印刷物の例である。                        （Ｂ）第２の付加情報を顕像化させた情報印刷物の例である。
【図２】本発明の一態様に係わる情報印刷物の構成を概略的に示す断面図である。
【図３】本発明の一態様に係わる運用例を示す概念図である。
【図４】本発明の認証方法の１例を示すフロー図である。
【図５】本発明の認証方法の１例を示すフロー図である。
【発明を実施するための形態】
【００１５】
以下では、本発明の実施形態について図面を参照しながら説明する。なお、各図において、同様又は類似した機能を発揮する校正要素には同一の参照符号を付し、重複する説明は省略する。
【００１６】
図１は本発明の一態様に係わる情報印刷物を概略的に示す平面図である。ここで、（Ａ）は、第１のコード情報１０２を有する情報印刷物１００の例を示しているが、コードの形式としては、ＱＲコード（登録商標）に代表される二次元コードを使用することができる。これは、二次元コードが、一次元バーコードに比べて、そのデータ密度が格段に高く、用途に応じて扱う情報の自由度が増すためである。
【００１７】
二次元コードは、ＱＲコード（登録商標）以外にも使用することが可能であり、例えば、マトリックス式コードとしてＳＰコード、ベリコード、マキシコード、ＣＰコード、ＤａｔａＭａｔｒｉｘ、Ｃｏｄｅ１、ＡｚｔｅｃＣｏｄｅ、インタクタコードなどを挙げることができ、スタック式コードとして、ＰＤＦ４１７、Ｃｏｄｅ４９、Ｃｏｄｅ１６Ｋ、Ｃｏｄａｂｌｏｃｋ、ＳｕｐｅｒＣｏｄｅ、Ｕｌｔｒａ  Ｃｏｄｅ、ＲＳＳ  Ｃｏｍｐｏｓｉｔｅ、ＡｚｔｅｃＭｅｔａなどの各種コード（以上のコード名は登録商標を含む）が考えられるが、広く認知されているＱＲコード（登録商標）が好適であるといえる。
【００１８】
前記第１のコード情報１０２は、それ自体をコード情報として読取ることが可能であり、前記第１のコード情報１０２のコード印刷領域の１部に、硬質インキを用いて付加情報１０３を潜像として設ける。
【００１９】
すなわち、前記第１のコード情報１０２を読取る際には、付加情報１０３は目視で観察することができず、読取装置によっても検知不能である。
【００２０】
前記第１のコード情報を読取装置によって読取った後、金属物で情報印刷物１００の表面を擦ることにより、硬質インキ印刷部で金属が削り取られ、削り取られた金属によって、前記硬質インキ印刷部が着色されることで、図１の（Ｂ）に示すように顕像化され、目視ならびに読取装置による観察が可能となる。これにより、前記第１のコード情報１０２と顕像化された前記付加情報１０３とを合わせて、新たな第２のコード情報１０４として読取装置による情報読取りが可能となる。
【００２１】
金属物は、専用の金属片を設けても良いが、一般には硬貨を使用することができる。硬貨の材質としては、アルミニウム、黄銅（銅、亜鉛）、青銅（銅、亜鉛、錫）、白銅（銅、ニッケル）、ニッケル黄銅（銅、亜鉛、ニッケル）などが用いられており、素材中最も硬いニッケルのモース硬度はおよそ５である。
【００２２】
ここで、図２に本発明の一態様に係わる情報印刷物の構成を概略的に示す断面図を示しているが、基材１０１としては、紙の他に、ポリカーボネート（ＰＣ）、ポリエチレンテレフタレート（ＰＥＴ）、ポリエチレンナフタレート（ＰＥＮ）、塩化ビニル樹脂、アクリル樹脂、などのプラスチックフィルムあるいはシート類、合成紙などを用途に応じて任意に選定することができる。これら基材の表面には、帯電防止処理、耐摩処理、易接着処理などの各種表面処理が施されていても良い。また情報印刷物は、コード情報の読取に影響しない範囲内で任意の画像を設けたり、基材上に着色層を設けたりすることができる。
【００２３】
前記第１のコード情報１０２は、墨インキやイエロー、マゼンタ、シアンの各色インキやこれらの混色インキなどを用いて、オフセット印刷、グラビア印刷、フレキソ印刷、シルクスクリーン印刷などの各種印刷方式やインクジェット方式、転写方式など公知の方式によって設けることができる。また、前記第１のコード情報１０２は、前記付加情報１０３が貨幣などの金属物で擦ることによって顕像化された時の色を想定して類似の色相に色調整をしておいても良い。
【００２４】
前記付加情報１０３の部分は、前記硬質インキを用いた印刷層からなり、金属物で表面を擦った際に、金属が削り取られ、削り取られた金属によって着色され、顕像化されることから、前記硬質インキは、前記金属物よりも硬度の高い素材を用いる必要がある。そのような素材としては、以下のようなものが挙げられる。ここで、（  ）内は、代表的なモース硬度の値を示している。硬質インキに用いられるインキ組成物としては、例えば、酸化チタン（６〜７）、酸化アルミニウム（９）、二酸化ケイ素（７）、酸化ジルコニウム（７）、酸化クロム（９）などを挙げることができ、いずれも硬貨などに使用される金属類よりも硬度の高い素材であり、これらを単独あるいは、２種以上の混合物として使用することができる。
【００２５】
前記硬質インキは、各種色材などによって、前記情報印刷物１００の基材１０１側の色
相に合わせて調色されており、これにより、金属物による擦りを実施する前の段階での前記付加情報１０３は、目視ならびに読取装置による観察では認識困難となる。
【００２６】
なお、基材の色相と硬質インキとの色差は、ΔＥが０．５以下であることが望ましく、更に望ましくはΔＥが０．３以下であることが好ましい。なお、色差ΔＥは、色彩色差計により測定することが可能である。
【００２７】
また、前記硬質インキは各種バインダー類との組合せなどにより、オフセット印刷、ＵＶオフセット印刷を始め、フレキソ印刷、グラビア印刷、シルクスクリーン印刷やこれら印刷法と紫外線や電子線などの放射線照射装置を組み合わせた印刷方法、あるいはインクジェット法などの各種手法によって、基材上に設けることができる。
【００２８】
図３は、本発明の一態様に係わる運用例を示す概念図である。すなわち、読取装置として携帯端末２００を用いた場合を示しており、本発明の情報印刷物１００上に設けられた二次元コードを携帯端末によって読取を実施し、インターネットを通じてサーバーにアクセスすることを示している。ここで、携帯端末２００による前記情報印刷物１００上の二次元コード読取りは、まず第１のコード情報１０２の読取りを行い、読取り情報に基づき何らかの処理やサービスを行い、更に前記情報印刷物１００の表面を硬貨などの金属物で擦り、前記付加情報１０３を顕像化させた後、前記第１のコード情報１０２と前記付加情報１０３とを組み合わせた第２のコード情報１０４を読取ることで、第２のコード情報１０４に基づく、新たな何らかの処理やサービス、あるいは前記第１のコード情報に基づいて実施されたことに対して、付加的な処理やサービスを実施することが可能となる。
【００２９】
また、前記第１のコード情報と前記第２のコード情報を組み合わせることで、新たな認証方法を実施することが可能となる。すなわち、まず携帯端末２００による前記第１のコード情報１０２を読取るステップと、前記第１のコード情報１０２を読取った後に、前記情報印刷物１００の表面を硬貨などの金属物で擦り、前記付加情報１０３を顕像化させるステップと、前記第１のコード情報１０２と前記付加情報１０３とを組み合わせた第２のコード情報１０４を読取を実施するステップとからなり、これら２つのコード情報を読取ることにより、初めて認証が可能となることから、前記第１のコード情報１０２だけ、あるいは前記第２のコード情報１０４だけをカメラによる撮影やコピー機などによって複製を取られたとしても、その複製情報だけでは不正に認証を得ることが出来なくなる。
【００３０】
ここで、読取装置は、カメラや受光部等によりコード情報を読取るコード読取部と、認証した結果を画面表示または音や光等で出力する出力部とを備えていればよく、具体的には、スマートフォンなどの携帯端末や、前述の機能を備える移動端末または固定端末などを挙げることができる。これらの読取装置は、ＰＯＳシステムなどに接続／連動されていても良い。
【００３１】
また、コード情報を読取った後の認証については、図３に示すように読取装置に通信部を設け、認証部を備える外部サーバーにコード情報を記録しておき、読取ったコード情報と照合して認証を行っても良いが、読取装置そのものに認証部とコード情報記録部を設け、読取ったコード情報の認証を読取装置内で行っても良い。
【００３２】
ここで、前記第１のコード情報１０２と前記第２のコード情報１０４を用いた認証手順の例を図４、ならびに図５に示した。
【００３３】
図４で示す認証手順は、読取装置により、前記情報印刷物１００上に設けられた前記第１のコード情報１０２を読取り、認証部にて予め記録されているコード情報との照合を実施し、認証に成功した場合に、前記第２のコード情報１０４の認証作業に進む。すなわち
硬貨などの金属物にて前記情報印刷物表面を擦り、前記付加情報を顕像化した後、前記第１のコード情報と前記顕像化された付加情報１０３を含む第２のコード情報１０４を読取り、最終的な照合を実施するというものである。
【００３４】
この場合、前記第１のコード情報１０２の照合時に不具合が発生した場合には、前記第１のコード情報１０２の照合手続き時に、エラーとすることができる。
【００３５】
また他にも、図５で示すように、読取装置により、前記情報印刷物上に設けられた前記第１のコード情報１０２を読取り、続いて硬貨などの金属物により、前記情報印刷物１００表面を擦り、前記付加情報１０３を顕像化した後、前記第１のコード情報１０２と前記顕像化された付加情報１０３を含む前記第２のコード情報１０４の読取りを実施する。その後、前記第１のコード情報と前記第２のコード情報について、照合を実施するという照合手段を用いても良い。
【符号の説明】
【００３６】
１００  …  情報印刷物
１０１  …  基材
１０２  …  第１のコード情報
１０３  …  付加情報
１０４  …  第２のコード情報
２００  …  携帯端末
３００  …  インターネット
４００  …  サーバー
【図１】
0006575213.tif 000002
【図２】
0006575213.tif 000003
【図３】
0006575213.tif 000004
【図４】
0006575213.tif 000005
【図５】
0006575213.tif 000006